(57)【特許請求の範囲】
【請求項１】
上面部に原稿台が設けられ、前記原稿台上の原稿を読み取る読取部と、
前記原稿台を覆うカバー部と、
前記カバー部に取り付けられ横方向に突出する第一取付部と前記読取部に取り付けられ上方向に突出する第二取付部とを有し、前記第一取付部と前記第二取付部とが機構側回転軸を回転中心として回転することで、前記カバー部を前記原稿台が露出する開いた状態と前記原稿台を覆う閉じた状態とに開閉させる開閉機構部と、
前記カバー部又は前記第一取付部に前記機構側回転軸に沿って配置された部材側回転軸を回転中心として回転自在に取り付けられ、前記第一取付部及び前記第二取付部における前記カバー部及び前記読取部から露出した露出部の少なくとも一部を覆う覆部材と、
前記カバー部の開閉移動範囲内において、前記覆部材が前記露出部の少なくとも一部を覆うと共に、前記覆部材の自重による回転を前記覆部材の重心が前記部材側回転軸よりも前記カバー部から離れた位置にある状態で規制する回転規制手段と、
前記カバー部が閉じた状態において、前記覆部材の下端部が前記カバー部から離れる方向に回転すること防止する逆回転防止手段と、
を備える画像読取装置。
【請求項２】
上面部に原稿台が設けられ、前記原稿台上の原稿を読み取る読取部と、
前記原稿台を覆うカバー部と、
前記カバー部に取り付けられ横方向に突出する第一取付部と前記読取部に取り付けられ上方向に突出する第二取付部とを有し、前記第一取付部と前記第二取付部とが機構側回転軸を回転中心として回転することで、前記カバー部を前記原稿台が露出する開いた状態と前記原稿台を覆う閉じた状態とに開閉させる開閉機構部と、
前記カバー部又は前記第一取付部に前記機構側回転軸に沿って配置された部材側回転軸を回転中心として回転自在に取り付けられ、前記第一取付部及び前記第二取付部における前記カバー部及び前記読取部から露出した露出部の少なくとも一部を覆う覆部材と、
前記カバー部の開閉移動範囲内において、前記覆部材が前記露出部の少なくとも一部を覆うと共に、前記覆部材の自重による回転を前記覆部材の重心が前記部材側回転軸よりも前記カバー部から離れた位置にある状態で規制する回転規制手段と、
を備え、
前記覆部材に設けられた前記部材側回転軸の軸受部には、少なくとも開口側に向かって上側に傾斜した傾斜面が形成されている画像読取装置。
【請求項３】
前記回転規制手段は前記覆部材の下端側に設けられ、前記カバー部が閉じた状態において前記カバー部に当たり前記覆部材の自重による回転を止める第一回転止部を有する請求項１又は請求項２に記載の画像読取装置。
【請求項４】
前記回転規制手段は、前記覆部材の下端側に設けられ、前記カバー部が開いた状態において、前記第二取付部に当たり前記覆部材の自重による回転を止める第二回転止部を有する請求項１〜請求項３のいずれか１項に記載の画像読取装置。
【発明の詳細な説明】
【技術分野】
【０００１】
本発明は、画像読取装置に関する。
【背景技術】
【０００２】
特許文献１には、画像形成装置本体上へヒンジを用いて上下回動可能に搭載する自動原稿送り装置において、前記ヒンジが前記上下回動時にできる隙間を塞ぐ遮蔽部材を備えることを特徴とする自動原稿送り装置が開示されている（特許文献１を参照）。
【先行技術文献】
【特許文献】
【０００３】
【特許文献１】特開２００５−９１７９４号公報
【発明の概要】
【発明が解決しようとする課題】
【０００４】
本発明は、原稿台を覆うカバー部を開閉する開閉機構部の露出した露出部を、カバー部の開閉位置によらずに覆部材で覆うことを課題とする。
【課題を解決するための手段】
【０００５】
請求項１の発明は、上面部に原稿台が設けられ、前記原稿台上の原稿を読み取る読取部と、前記原稿台を覆うカバー部と、前記カバー部に取り付けられ横方向に突出する第一取付部と前記読取部に取り付けられ上方向に突出する第二取付部とを有し、前記第一取付部と前記第二取付部とが機構側回転軸を回転中心として回転することで、前記カバー部を前記原稿台が露出する開いた状態と前記原稿台を覆う閉じた状態とに開閉させる開閉機構部と、前記カバー部又は前記第一取付部に前記機構側回転軸に沿って配置された部材側回転軸を回転中心として回転自在に取り付けられ、前記第一取付部及び前記第二取付部における前記カバー部及び前記読取部から露出した露出部の少なくとも一部を覆う覆部材と、前記カバー部の開閉移動範囲内において、前記覆部材が前記露出部の少なくとも一部を覆うと共に、前記覆部材の自重による回転を前記覆部材の重心が前記部材側回転軸よりも前記カバー部から離れた位置にある状態で規制する回転規制手段と、前記カバー部が閉じた状態において、前記覆部材の下端部が前記カバー部から離れる方向に回転すること防止する逆回転防止手段と、を備える。
請求項２の発明は、上面部に原稿台が設けられ、前記原稿台上の原稿を読み取る読取部と、前記原稿台を覆うカバー部と、前記カバー部に取り付けられ横方向に突出する第一取付部と前記読取部に取り付けられ上方向に突出する第二取付部とを有し、前記第一取付部と前記第二取付部とが機構側回転軸を回転中心として回転することで、前記カバー部を前記原稿台が露出する開いた状態と前記原稿台を覆う閉じた状態とに開閉させる開閉機構部と、前記カバー部又は前記第一取付部に前記機構側回転軸に沿って配置された部材側回転軸を回転中心として回転自在に取り付けられ、前記第一取付部及び前記第二取付部における前記カバー部及び前記読取部から露出した露出部の少なくとも一部を覆う覆部材と、前記カバー部の開閉移動範囲内において、前記覆部材が前記露出部の少なくとも一部を覆うと共に、前記覆部材の自重による回転を前記覆部材の重心が前記部材側回転軸よりも前記カバー部から離れた位置にある状態で規制する回転規制手段と、備え前記覆部材に設けられた前記部材側回転軸の軸受部には、少なくとも開口側に向かって上側に傾斜した傾斜面が形成されている。
【０００６】
請求項３の発明は、前記回転規制手段は前記覆部材の下端側に設けられ、前記カバー部が閉じた状態において前記カバー部に当たり前記覆部材の自重による回転を止める第一回転止部を有する。
【０００７】
請求項４の発明は、前記回転規制手段は、前記覆部材の下端側に設けられ、前記カバー部が開いた状態において、前記第二取付部に当たり前記覆部材の自重による回転を止める第二回転止部を有する。
【発明の効果】
【００１０】
請求項１記載の発明によれば、カバー部が閉じた状態でのみ覆部材が露出部を覆う構成と比較し、カバー部の開閉位置によらずに開閉機構の露出部の少なくとも一部を覆部材で覆うことができる。また、カバー部が閉じた状態における覆部材を回転させることによる露出部の露出を防止することができる。
請求項２に記載の発明によれば、カバー部が閉じた状態でのみ覆部材が露出部を覆う構成と比較し、カバー部の開閉位置によらずに開閉機構の露出部の少なくとも一部を覆部材で覆うことができる。軸受部に傾斜面が形成されてない構成と比較し、小さな力で覆部材が外れる。
【００１１】
請求項３に記載の発明によれば、第一回転止部を有しない構成と比較し、カバー部が閉じた状態におけるカバー部と覆部材との隙間を容易に略一定とすることができる。
【００１２】
請求項４に記載の発明によれば、カバー部が開いた状態における覆部材の自重による回転を、第二取付部以外の部位に当てて止める構成と比較し、機構を簡単にすることができる。
【００１４】
請求項５に記載の発明によれば、軸受部に傾斜面が形成されてない構成と比較し、小さな力で覆部材が外れる。
【図面の簡単な説明】
【００１５】
【図１】本発明の一実施形態に係る画像形成装置の全体構成を示す概略図である、
【図２】本実施形態に係る読取機構の構成を示す概略図である。
【図３】本実施形態に係る開閉機構を示す回転軸方向に見た正面図である。
【図４】（Ａ）はプラテンカバーが開いた状態における図３に示す開閉機構を示す斜視図であり、（Ｂ）は（Ａ）の要部を拡大した拡大斜視図である。
【図５】図３に示す開閉機構を構成する保護カバーを示す斜視図である。
【図６】図５に示す保護カバーを示す（Ａ）は正面図であり、（Ｂ）は（Ａ）をＢ方向にした矢視図であり、（Ｃ）は（Ａ）のＣ−Ｃ断面の断面図であり、（Ｄ）は（Ａ）のＤ−Ｄ断面を示す軸受部の断面図である。
【図７】（プラテンカバーの開閉動作に伴う保護カバーの動きを示し、（Ａ）はプラテンカバーが閉じた状態の図であり、（Ｂ）はプラテンカバーが約３０°開いた状態の図であり、（Ｃ）はプラテンカバーが７５°開いた状態の図である。
【図８】（Ａ）は開閉機構のリンク機構を示す正面図であり、（Ｂ）は本等の厚い原稿が原稿台に置かれプラテンカバーが上側に移動した状態を示す正面図である。
【発明を実施するための形態】
【００１６】
以下に、本発明に係る実施形態の一例を図面に基づき説明する。
＜本実施形態に係る画像形成装置の構成＞
まず、本実施形態に係る画像形成装置の構成を説明する。
【００１７】
図１に示すように、本実施形態に係る画像形成装置１００は、用紙等の記録媒体Ｐに画像を記録する画像記録装置１１０と、原稿の画像を読み取る画像読取装置１０と、を備えている。画像読取装置１０は、画像形成装置１００の上部に配置され、画像記録装置１１０は、画像形成装置１００の下部に配置されている。
【００１８】
画像読取装置１０は、原稿の画像を読み取り、その読み取った画像を画像信号に変換するようになっている。画像記録装置１１０は、画像読取装置１０が変換した画像信号に基づいて記録媒体Ｐへ画像を記録可能とされている。
【００１９】
＜画像記録装置１１０の構成＞
つぎに、画像記録装置１１０の構成について説明する。
【００２０】
画像記録装置１１０は、用紙等の記録媒体Ｐが収容される記録媒体収容部１２０と、記録媒体Ｐにトナー画像を形成する画像形成部１２３と、記録媒体収容部１２０から画像形成部１２３へ記録媒体Ｐを搬送する搬送部１６０と、画像形成部１２３によって形成されたトナー画像を記録媒体Ｐに定着させる定着装置１３６と、定着装置１３６によってトナー画像が定着された記録媒体Ｐが排出される記録媒体排出部１４０と、を備えている。
【００２１】
画像形成部１２３は、イエロー（Ｙ）、マゼンタ（Ｍ）、シアン（Ｃ）、ブラック（Ｋ）の各色のトナー画像が形成される画像形成ユニット１３３Ｙ、１３３Ｍ、１３３Ｃ、１３３Ｋと、画像形成ユニット１３３Ｙ、１３３Ｍ、１３３Ｃ、１３３Ｋで形成されたトナー画像が転写される中間転写体の一例としての中間転写ベルト１１３と、画像形成ユニット１３３Ｙ、１３３Ｍ、１３３Ｃ、１３３Ｋで形成されたトナー画像を中間転写ベルト１１３に転写する一次転写部材の一例としての一次転写ロール１１５と、中間転写ベルト１１３に転写されたトナー画像を記録媒体Ｐに転写する二次転写部材の一例としての二次転写ロール１３２と、を備えている。
【００２２】
画像形成ユニット１３３Ｙ、１３３Ｍ、１３３Ｃ、１３３Ｋは、形成される画像を保持する像保持体として、一方向（図１においてＫ方向）へ回転する感光体ドラム１１２をそれぞれ有している。
【００２３】
各感光体ドラム１１２の周囲には、感光体ドラム１１２の回転方向上流側から順に、感光体ドラム１１２を帯電させる帯電装置１１４と、帯電した感光体ドラム１１２を露光して感光体ドラム１１２に静電潜像を形成する露光装置１１６と、感光体ドラム１１２に形成された静電潜像を現像してトナー画像を形成する現像装置１１８と、トナー画像が中間転写ベルト１１３に転写された後の感光体ドラム１１２の表面に残留しているトナーを除去する除去装置１４４と、が設けられている。
【００２４】
中間転写ベルト１１３は、二次転写ロール１３２に対向する対向ロール１３４及び支持ロール１４６によって支持され、感光体ドラム１１２と接触しながら一方向（図１において時計回り方向）へ循環移動するようになっている。
【００２５】
一次転写ロール１１５は、中間転写ベルト１１３を挟んで、感光体ドラム１１２に対向している。一次転写ロール１１５と感光体ドラム１１２との間には、感光体ドラム１１２に形成されたトナー画像が中間転写ベルト１１３に一次転写される一次転写位置が形成される。
【００２６】
二次転写ロール１３２は、中間転写ベルト１１３を挟んで対向ロール１３４と対向している。二次転写ロール１３２と対向ロール１３４との間には、中間転写ベルト１１３に一次転写されたトナー画像が記録媒体Ｐに二次転写される二次転写位置が形成される。
【００２７】
搬送部１６０は、記録媒体収容部１２０に収容された記録媒体Ｐを送り出す送出ロール１２６と、送出ロール１２６によって送り出された記録媒体Ｐを二次転写位置へ搬送する搬送ロール対１６４と、を備えている。
【００２８】
定着装置１３６は、二次転写位置より搬送方向下流側に配置されており、二次転写位置で転写されたトナー画像を記録媒体Ｐへ定着させる。
【００２９】
定着装置１３６よりも搬送方向下流側には、記録媒体Ｐを記録媒体排出部１４０へ排出する排出ロール対１４２が配置されている。
【００３０】
＜画像形成動作＞
つぎに、本実施形態に係る画像形成装置における、画像を形成する画像形成動作について説明する。
【００３１】
本実施形態に係る画像記録装置１１０において、記録媒体Ｐへ画像を形成する場合は、まず記録媒体収容部１２０から送り出された記録媒体Ｐが、搬送ロール対１６４によって二次転写位置へ送り込まれる。
【００３２】
一方、中間転写ベルト１１３には、画像形成ユニット１３３Ｙ、１３３Ｍ、１３３Ｃ、１３３Ｋで形成された各色のトナー画像が重ねられて、カラー画像が形成される。二次転写位置へ送り込まれた記録媒体Ｐは、中間転写ベルト１１３に形成されたカラー画像が転写される。
【００３３】
トナー画像が転写された記録媒体Ｐは、定着装置１３６へ搬送され、転写されたトナー画像が定着装置１３６により定着される。トナー画像が定着された記録媒体Ｐは、排出ロール対１４２により記録媒体排出部１４０へ排出される。以上のように、一連の画像形成動作が行われる。
【００３４】
なお、画像記録装置の構成としては、上記の構成に限られず、例えば、中間転写体を有さない直接転写型の画像記録装置でもよく、インクジェット方式による画像記録装置でもよく、上記以外の構成により画像が記録可能な画像記録装置としてもよい。
【００３５】
＜画像読取装置の構成＞
次に、本実施形態に係る画像読取装置の構成を説明する。
【００３６】
本実施形態に係る画像読取装置１０は、搬送される原稿及び静止された原稿の両方を読み取ることが可能とされている。
【００３７】
画像読取装置１０は、図１と図２とに示すように、上面部に原稿台（プラテン）７２が設けられ、原稿台７２の上の原稿を読み取る読取部７０と、原稿台７２を覆うカバー部の一例としてのプラテンカバー５０と、を有している。そして、プラテンカバー５０は、開閉機構部２００によって原稿台７２を覆う閉じた状態（図１）と、原稿台７２が露出する全開の状態（図２）と、の間を開閉する（図７も参照）。なお、本実施形態では、プラテンカバー５０は、水平（原稿台７２）に対して最大で７５°の角度まで開くことができる。つまり、図２（及び図７（Ｃ））に示す全開の状態が７５°である。
【００３８】
プラテンカバー５０は、原稿置台１１に置かれた原稿を原稿排出部３４に搬送する折り返し形状の搬送部３７と、搬送路３１を搬送された原稿が排出される原稿排出部３４とを備えている。
【００３９】
原稿置台１１には、原稿置台１１を上昇及び下降させる昇降装置１２が設けられている。この昇降装置１２は、原稿置台１１に原稿が置かれると、その原稿が後述の送出ロール１３に接触する位置まで原稿置台１１を上昇させる。
【００４０】
読取部７０は、静止させた状態で画像が読み取られるべき原稿が載せられる透過部材の一例としての第１プラテンガラス７２Ａと、搬送される原稿へ照射される光を透過させる透過部材の一例としての第２プラテンガラス７２Ｂと、を有する原稿台７２を備えている。
【００４１】
搬送部３７は、原稿置台１１から原稿を送り出す送出ロール１３、原稿置台１１から送り出された原稿が搬送される搬送路３１と、搬送路３１に沿って配置され原稿を下流側へ搬送する複数の搬送ロール１４、搬送路３１に配置され原稿台７２を構成する第２プラテンガラス７２Ｂに対向して配置された対向ロール１９と、原稿排出部３４へ原稿を排出させる排出ロール２１とを備えている。対向ロール１９は、搬送される原稿を第２プラテンガラス７２Ｂに押し当てるようになっている。
【００４２】
また、読取部７０は、第１プラテンガラス７２Ａに沿って移動可能な第１移動体７３及び第２移動体７５を備えている。
【００４３】
第１移動体７３には、原稿に光を照射する光照射部７４と、原稿で反射した反射光を受光する第１ミラー７６Ａとが設けられている。第２移動体７５には、第１ミラー７６Ａから得られた光を導く第２ミラー７６Ｂ及び第３ミラー７６Ｃが設けられている。
【００４４】
更に、読取部７０は、第３ミラー７６Ｃから得られた光学像を光学的に縮小する結像用レンズ７７、結像用レンズ７７によって結像された光学像を光電変換するＣＣＤ（Ｃｈａｒｇｅ  Ｃｏｕｐｌｅｄ  Ｄｅｖｉｃｅ）イメージセンサ７８を備えている。ＣＣＤイメージセンサ７８によって得られた画像信号は、処理装置８０によって露光装置１１６（図１）へ送られるようになっている。
【００４５】
ここで、まず、第１プラテンガラス７２Ａに載せられた原稿の画像を読み取る場合には、第１移動体７３と第２移動体７５とが、例えば、２：１の割合でスキャン方向（矢印方向）に移動する。このとき、第１移動体７３の光照射部７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向（スキャンの主走査方向）の１ラインの読み取りが終了すると、主走査方向とは直交する方向（副走査方向）に第１移動体７３を移動させ、原稿の次のラインを読み取る。これを原稿サイズ全体に亘って実行することで、１ページの原稿読み取りを完了させる。
【００４６】
一方、搬送部３７によって搬送される原稿が第２プラテンガラス７２Ｂの上を通過する。このとき、第１移動体７３と第２移動体７５とは、図１に示す実線の位置に停止した状態にある。まず、対向ロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。即ち、１次元のセンサであるＣＣＤイメージセンサ７８によって主走査方向の１ライン分を同時に処理した後、搬送部３７によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００４７】
なお、読取部７０としては、上記の構成に限られるものでなく、上記以外の構成により原稿の画像を読み取る構成としてもよい。
＜開閉機構＞
【００４８】
図４に示すように、開閉機構部２００は、プラテンカバー５０の幅方向の両端部に設けられている。そして、図１と図２とに示すように、開閉機構部２００は、原稿台７２を覆う閉じた状態（図１）と、原稿台７２が露出する全開の状態（図２）と、の間で開閉するヒンジ機能を有している（図７も参照）。更に、開閉機構部２００は、プラテンカバー５０が予め定められた角度以上（本実施形態では３０°以上、図７（Ｂ）を参照）に開かれたときに、重力によってプラテンカバー５０が閉じようとする力に対抗する力をバネ等で発生させ、開いた状態で静止させるカウンターバランス機構を有している。なお、カウンターバランス機構は既存の機構（構造）と同様ものを利用しているので、詳しい説明を省略する。また、前述したように、本実施形態では、プラテンカバー５０は、水平（原稿台７２）に対して最大で７５°の角度まで開くことができる（図２、及び図７（Ｃ）を参照）。
【００４９】
なお、プラテンカバー５０が閉じた状態（図１参照）における幅方向をＹ方向、鉛直方向をＺ方向、Ｙ方向とＺ方向とに直交する方向をＸ方向とする。
【００５０】
図３と図４とに示すように、開閉機構部２００は、第一取付部２１０と第二取付部２２０とを有している。第一取付部２１０は、プラテンカバー５０に取り付けられ、プラテンカバー５０の端部５０ＡからＸ方向（横方向）に突出する。第二取付部２２０は、読取部７０に取り付けられ上面部７０Ａから鉛直方向上側に突出する。第一取付部２１０と第二取付部２２０とのそれぞれ突出方向の端部同士が重ねられ、Ｙ方向を軸方向として配置された回転軸２３０（機構側回転軸の一例、図３を参照）を回転中心として回転可能に連結されている。そして第一取付部２１０と第二取付部２２０とが、回転軸２３０を回転中心として回転することで、プラテンカバー５０が、原稿台７２を覆う閉じた状態（図１）と原稿台７２が露出する開いた状態（図２）とに開閉する。
【００５１】
なお、本実施形態では、第一取付部２１０及び第二取付部２２０は金属製とされ、第一取付部２１０及び第二取付部２２０におけるプラテンカバー５０及び読取部７０から突出して露出する部位を露出部２１５とする。
【００５２】
露出部２１５（第一取付部２１０）の上端部分は、プラテンカバー５０の端部５０Ａと一体的に構成された庇（ひさし）部５５によって覆われている。庇部５５の上面部は、Ｕ字形状の切欠部５７（図４参照）が形成されている。そして、切欠部５７（図４参照）から、ドライバー等の工具を差し込み、プラテンカバー５０の幅方向（Ｙ方向）の両端部の高さを揃えるための調整ビス２１９（図４（Ｂ）参照）を回すことができるように構成されている。
【００５３】
図３と図４とに示すように、庇部５５及び露出部２１５の外側は、覆部材の一例としての保護カバー３００によって覆われている。図３〜図６に示すように、保護カバー３００は、プラテンカバー５０側が開口され、底面が形成されていない略箱形状とされている。別の言い方をすると、保護カバー３００は、プラテンカバー５０側を開口側とする略溝形状とされ、上端側に天井面が形成された構成となっている。また、保護カバー３００の幅方向両側壁の上端部分は、下側に向かってプラテンカバー５０側に傾斜する傾斜部３０２が形成されている。そして、前述したように、保護カバー３００の下端には側面（底面）が形成されておらず、略Ｕ字形の凹部３０４が形成されている。
【００５４】
保護カバー３００は、庇部５５におけるプラテンカバー５０の端部５０Ａの近傍に設けられた回転軸２３２（部材側回転軸の一例）を回転中心として回転自在に設けられている。また、回転軸２３２は、Ｙ方向を軸方向として配置されている。なお、第一取付部２１０及び第二取付部２２０の回転軸２３０よりも、保護カバー３００の回転軸２３２の方が、プラテンカバー５０側、且つ鉛直方向上側に配置されている。
【００５５】
保護カバー３００の下端部には、プラテンカバー５０側に凸となった凸部３０８が形成されている。図３に示すように、プラテンカバー５０が閉じた状態において（図１参照）、凸部３０８がプラテンカバー５０の端部５０Ａに当たり、保護カバー３００の自重による回転軸２３２回りの回転が止められる。そして、この凸部３０８がプラテンカバー５０の端部５０Ａに当たって回転が止められた状態における保護カバー３００は、露出部２１５を覆うと共に、重心Ｇが回転軸２３２よりもプラテンカバー５０からＸ方向に離れた位置となるように構成されている。
【００５６】
また、図７に示すように、プラテンカバー５０が開かれ、プラテンカバー５０が回転軸２３０回りに回転し、端部５０Ａが移動すると、それに伴い保護カバー３００が自重で回転する。しかし、保護カバー３００の凹部３０４の底辺部３０６が、第二取付部２２０の端部２２０Ａに当たり、保護カバー３００の自重による回転軸２３２回りの回転が止まる。そして、保護カバー３００が第二取付部２２０に当たって回転が止まった状態における保護カバー３００、露出部２１５を覆うと共に、重心Ｇが回転軸２３２よりもプラテンカバー５０からＸ方向に離れた位置となるように構成されている。
【００５７】
なお、プラテンカバー５０が全開した状態であっても、保護カバー３００の幅方向両側壁の上端部分には傾斜部３０２が形成されているので、プラテンカバー５０の端部５０Ａと保護カバー３００の上端部とが干渉しないように構成されている。
【００５８】
また、図７（Ａ）のプラテンカバー５０が閉じた状態と図７（Ｃ）のプラテンカバー５０が全開した状態とで、保護カバー３００の回転軸２３２の高さが同じか、図７（Ｃ）の方が高くなるように構成されている。
【００５９】
図３〜図６に示すように、保護カバー３００の下端部には鉛直方向下側に突起する突起部３１２が形成されている。また、図３に示すように、プラテンカバー５０が閉じた状態で、保護カバー３００の凸部３０８が端部５０Ａに当たった閉じた状態において、原稿台７２の上面部７２Ａにおける突起部３１２よりも端部５０Ａから離れた位置に、突起部２１２が形成されている。そして、保護カバー３００が回転軸２３２回りに自重による回転と逆方向に回転すると、突起部３１２が突起部２１２に干渉するように構成されている。
【００６０】
図６（Ｂ）と図６（Ｄ）とに示すように、保護カバー３００の側壁３１６の内壁面には、回転軸２３２を受ける軸受部３２０が形成されている。軸受部３２０の中心部には凹部３２２が形成され、この凹部３２２に回転軸２３２が係合することで、保護カバー３００が回転自在に取り付けられている。凹部３２２の内壁は傾斜面３２２Ａが形成され、凹部３２２の底に行くほど径が小さくなり（すぼまり）、開口側（軸が外れる方向）に行くほど径が大きくなる。
【００６１】
なお、保護カバー３００は樹脂製である。よって、保護カバー３００の側壁３１６をＹ方向外側に弾性変形させて、回転軸２３２を軸受部３２０の凹部３２２に係合させることができるように構成されている。
【００６２】
図８に示すように、本実施形態では、開閉機構部２００には、第三取付部５００が備えられている。第三取付部５００は、前述した回転軸２３０とプラテンカバー５０の中に設けられた回転軸５１０とに対して、それぞれ回転自在に設けられたリンク機構となっている。また、側面視において（回転軸２３０の軸方向に見て）、第三取付部５００は第一取付部２１０よりも小さい。
【００６３】
＜作用及び効果＞
つぎに本実施形態の作用及び効果について説明する。
【００６４】
図３及び図７（Ａ）に示すように、プラテンカバー５０が閉じた状態において（図１参照）、凸部３０８がプラテンカバー５０の端部５０Ａに当たり保護カバー３００の自重による回転が止められる。そして、この凸部３０８がプラテンカバー５０の端部５０Ａに当たって回転が止められた状態における保護カバー３００の重心Ｇは回転軸２３２よりもプラテンカバー５０から離れた位置となる。よって、保護カバー３００の下端部は、プラテンカバー５０の端部５０Ａ側に回転しようとする回転力Ｆがかり、この回転力Ｆによって保護カバー３００の凸部３０８が、端部５０Ａに付勢されると共に、位置決めされる。
【００６５】
プラテンカバー５０が開かれ（図２参照）、図４、図７（Ｂ）、図７（Ｃ）に示すように、プラテンカバー５０の端部５０Ａが移動すると、それに伴い保護カバー３００が自重により回転する。しかし、保護カバー３００の凹部３０４の底辺部３０６が、第二取付部２２０の端部２２０Ａに当たり保護カバー３００の自重による回転が止まる。そして、保護カバー３００が第二取付部２２０に当たって回転が止まった状態における保護カバー３００の重心Ｇは回転軸２３２よりもプラテンカバー５０から離れた位置となる。よって、保護カバー３００の下端部は、プラテンカバー５０の端部５０Ａ側に回転しようとする回転力Ｆがかり、この回転力Ｆによって保護カバー３００が第二取付部２２０に付勢されると共に、位置決めされる。
【００６６】
このように、例えば、ばね等の付勢手段を設けることなく、保護カバー３００の自重（回転力Ｆ）によって回転を止める部材に付勢される。そして、（プラテンカバー５０の開閉移動範囲内において）プラテンカバー５０の開閉位置によることなく、第一取付部２１０及び第二取付部２２０におけるプラテンカバー５０及び読取部７０から突出して露出する露出部２１５を保護カバー３００で覆う位置に位置決めされる。よって、例えば、プラテンカバー５０が閉じた状態でのみ露出部を覆うような構成と比較し、見栄えが良い。
【００６７】
なお、プラテンカバー５０が全開した状態であっても、保護カバー３００の幅方向両側壁の上端部分には傾斜部３０２が形成されているので、プラテンカバー５０の端部５０Ａと保護カバー３００の上端部とが干渉しない。
【００６８】
図３に示すように、保護カバー３００の回転軸２３２はプラテンカバー５０の端部５０Ａの近傍に設けられている。よって、回転軸２３２がプラテンカバー５０の端部５０から離れている構成と比較し、保護カバー３００とプラテンカバー５０の端部５０Ａとの隙間Ｌが小さくなる。また、プラテンカバー５０の端部５０Ａには、保護カバー３００のプラテンカバー５０側に突起した凸部３０８が当たるので、隙間ＬがＹ方向に略一定となる。つまり、保護カバー３００の凸部３０８が無い場合（下端が直接当たる構成）は、間隔Ｌは下側に行くほど狭くなる。そして、このように隙間Ｌが小さく略一定である構成は、隙間Ｌが大きく一定でない構成と比較し、見栄えが良い。
【００６９】
また、プラテンカバー５０が開いた状態における保護カバー３００の自重による回転を、第二取付部２２０に当てて回転を止めているので、別に回転を止める部材を設ける構成と比較し、構造が簡単である。
【００７０】
また、プラテンカバー５０が閉じた状態で、保護カバー３００の凸部３０８が端部５０Ａに当たった閉じた状態において、原稿台７２の上面部７２Ａにおける突起部３１２よりも端部５０Ａから離れた位置に、突起部２１２が形成されている。したがって、保護カバー３００が、自重に回転方向と逆方向に回転させようとすると、保護カバー３００の突起部３１２が原稿台７２側の突起部２１２に当たり、これ以上回転しない。よって、保護カバー３００が逆方向に回転することによる開閉機構部２００の露出部２１５の露出が防止又は抑制される。
【００７１】
図６に示すように、保護カバー３００の側壁３１６の軸受部３２０の凹部３２２には傾斜面３２２Ａが形成されており、凹部３２２の開口側に行くほど径が大きくなる。よって、凹部３３２に傾斜面３２２Ａが形成されていない場合よりも、小さな力で保護カバー３００が外れる。そして、傾斜面２３２Ａ形成されていない比較例においては保護カバーが破損するような大きな力（予め定められた閾値よりも大きな力が）加わると、保護カバー３００が外れるように傾斜面３３２Ａを設定することで、保護カバー３００の破損が防止される。
【００７２】
なお、図７に示すように、本実施形態では、プラテンカバー５０の開閉動作に伴い保護カバー３００の回転軸２３２は上下動する。よって、図７（Ｂ）に示すように、回転軸２３２の移動に伴って保護カバー３００が上昇し、読取部７０の上面部７０Ａとの隙間が大きくなる。そして、仮にこのように隙間が大きくなった状態で、この隙間に物が挟まり、開閉動作を続けると、保護カバー３００に上方に大きな力が加わる。しかし、上述したように、保護カバー３００が容易に外れる。したがって、保護カバー３００の破損が防止される。なお、このように隙間に物が挟まった場合は、保護カバー３００には上側に大きな力がかかるので、凹部３２２の上面側のみに傾斜面を形成してもよい。
【００７３】
ここで、本実施形態では、図８に示すように、開閉機構部２００は、第三取付部５００によるリンク機構を備えている。よって、図８（Ｂ）に示すように、原稿台７２に厚みのある原稿（本など）ＧＫを置いて読み取ろうとするときに、プラテンカバー５０全体を上方へ平行移動させることができる。そして、このようにプラテンカバー５０が上方へ移動しても、保護カバー３００も上方に移動するが、保護カバー３００が開閉機構部２００の露出部２１５を覆い見栄えがよい。なお、この場合も、保護カバー３００が上昇し、読取部７０の上面部７０Ａとの隙間が大きくなり、仮にこの隙間に物が挟まっても、上述したように、保護カバー３００が容易に外れるので、保護カバー３００の破損が防止される。
【００７４】
＜その他＞
尚、本発明は上記実施形態に限定されない。
【００７５】
例えば、上記実施形態では、プラテンカバー５０が閉じた状態において（図１参照）、凸部３０８がプラテンカバー５０の端部５０Ａに当たり保護カバー３００の自重による回転が止められていたが、これに限定されない。例えば、プラテンカバー５０が開かれた状態と同じように、保護カバー３００の凹部３０４の底辺部３０６が、第二取付部２２０の端部２２０Ａに当たり保護カバー３００の自重による回転が止まるように構成されていてもよい。つまり、プラテンカバー５０が閉じた状態でも開いた状態でも保護カバー３００の凹部３０４の底辺部３０６が、第二取付部２２０の端部２２０Ａに当たり保護カバー３００の自重による回転が止まるように構成されていてもよい。
【００７６】
また、上記実施形態では、開閉機構部２００の露出部２１５（第一取付部２１０）の上端部分は、プラテンカバー５０の端部５０Ａと一体的に構成された庇（ひさし）部５５によって覆われていたが、これに限定されない。庇部５５が無い構成であってもよい。なお、庇部５５が無い場合、保護カバー３００の回転軸２３２は、開閉機構部２００を構成する第一取付部２１０に設けられる。
【００７７】
また、上記実施形態では、保護部カバー３００（覆部材の一例）は、露出部２１５の略全部を覆うと共に、プラテンカバー５０（カバー部の一例）の開閉移動範囲内において露出部２１５の略全部を覆うように構成されていたが、これに限定されない。保護部カバー３００（覆部材の一例）は、露出部２１５の少なくとも一部を覆うと共に、プラテンカバー５０（カバー部の一例）の開閉移動範囲内において露出部２１５の少なくとも一部を覆うように構成されていていればよい。
【００７８】
更に、本発明の要旨を逸脱しない範囲において種々なる態様で実施し得ることは言うまでもない。
【符号の説明】
【００７９】
１０      画像読取装置
５０      プラテンカバー（カバー部の一例）
７０      読取部
７０Ａ    上面部
７２      原稿台
２００      開閉機構部
２１０      第一取付部
２１５      露出部
２２０      第二取付部
２２２      突起部（逆回転防止手段の一例）
２３０      回転軸（機構側回転軸の一例）
２３２      回転軸（部材側回転軸の一例）
３００      保護カバー（覆部材の一例）
３０６      底辺部（第二回転止部の一例、回転規制手段の一例）
３０８      凸部（第一回転止部の一例、回転規制手段の一例）
３１２      突起部（逆回転防止手段の一例）
３２２Ａ    傾斜面
【図１】
0005834737.tif 000002
【図２】
0005834737.tif 000003
【図３】
0005834737.tif 000004
【図４】
0005834737.tif 000005
【図５】
0005834737.tif 000006
【図６】
0005834737.tif 000007
【図７】
0005834737.tif 000008
【図８】
0005834737.tif 000009